(57)【要約】映像データを受信するためのネットワークインタフェースモジュール、装置及び方法について開示している。ネットワークインタフェースモジュールは、高周波信号を処理し、ディジタル映像信号を供給するための機能ユニット（１２、１４、１６）を有する。プログラムを動作するためのモジュールマイクロプロセッサ（２４）及びメモリ（２４）はモジュールに備えられている。モジュールマイクロプロセッサ（２４）は、動作プログラムの実行中にインタフェース（３０）により制御コマンドを受信し、それに応じて、機能ユニット（１２、１４、１６）を動作させる。映像データを受信するための装置は、インタフェース（３０）によりネットワークインタフェースモジュール（１０）に制御コマンドを転送する専用制御プロセッサ（３８）を有する。
2006520153.tif 000002
【特許請求の範囲】
【請求項１】
映像データを受信するためのネットワークインタフェースモジュールであって：
高周波信号を処理し、ディジタル映像信号を供給するための機能ユニット；
少なくとも１つのモジュールマイクロプロセッサ；
前記モジュールマイクロプロセッサの動作プログラムのためのメモリ；及び
制御コマンドの入力のためのインタフェース；
を有するネットワークインタフェースモジュールであり、
前記モジュールマイクロプロセッサは前記動作プログラムの実行中に前記制御コマンドを処理し、それに応じて前記機能ユニットを動作させる；
ことを特徴とするネットワークインタフェースモジュール。
【請求項２】
請求項１に記載のネットワークインタフェースモジュールであって、存在する機能ユニットのタイプに依存する前記制御コマンドを用いて、前記制御コマンドはモジュールの機能を制御する、ことを特徴とするネットワークインタフェースモジュール。
【請求項３】
請求項１又は２に記載のネットワークインタフェースモジュールであって、前記機能ユニットは少なくとも１つの受信機能ユニットと１つのチャネル復号化器機能ユニットとを有する、ことを特徴とするネットワークインタフェースモジュール。
【請求項４】
映像データを受信するための装置であって：
少なくとも１つの制御プロセッサ；及び
請求項１乃至３のいずれ一項に記載の少なくとも１つのネットワークインタフェースモジュール；
を有する装置であり、
前記制御プロセッサはインタフェースにより前記ネットワークインタフェースモジュールに制御コマンドを転送する、ことを特徴とする装置。
【請求項５】
請求項４に記載の装置であって、前記モジュールは交換可能であり、好ましくは、プラグイン接続により装置に接続されている、ことを特徴とする装置。
【請求項６】
請求項４又は５に記載の装置であって、多くのモジュールが存在する、ことを特徴とする装置。
【請求項７】
請求項６に記載の装置であって、同じタイプの高周波信号を受信するための少なくとも２つのモジュールが備えられ、及び／又は、少なくとも２つの異なるタイプの高周波信号を受信するためのモジュールがある、ことを特徴とする装置。
【請求項８】
請求項４乃至７のいずれ一項に記載の装置であって、モジュールのプラグインのための多数のスロットが備えられ、該スロットは同じ割り当てを有する、ことを特徴とする装置。
【請求項９】
映像データを受信する装置であって、受信装置の制御プロセッサは、高周波信号を処理し、ディジタル映像信号を供給するために機能ユニットを有するネットワークインタフェースモジュールを制御するための制御コマンドを用い、前記ネットワークインタフェースモジュールにおいて、モジュールプロセッサは制御コマンドを処理し、それに応じて、前記ネットワークインタフェースモジュールの機能ユニットを動作させる、ことを特徴とする装置。
【発明の詳細な説明】
【技術分野】
【０００１】
本発明は、映像データを受信するためのネットワークインタフェースモジュール、装置及び方法に関する。
【背景技術】
【０００２】
種々の標準形式又は送信方法で種々の媒体によるディジタル映像データの送信の方法については周知である。とりわけ、ケーブルによるディジタル映像データ（ＤＶＢ−Ｃ）、衛星無線によるディジタル映像データ（ＤＶＢ−Ｓ）、及び地上無線によるディジタル映像データ（ＤＶＢ−Ｔ）の送信は標準化されている。各々の場合、送信は高周波信号として行われる。そのような信号は、ＭＰＥＧ−２トランスポートストリームとして符号化ディジタル映像データを有する。データは、更に、音声信号及び付加データを有する。
【０００３】
そのような映像データを受信するために備えられた装置は、例えば、セットトップボックス、ＰＣ  ＴＶカード又はテレビジョンセットであることが可能である。それらの装置は、マザーボードか又はネットワークインタフェースモジュール（ＮＩＭ）のどちらかに個別に配置されたそれらの構成要素を有する受信部（ＨＦ受信器、周波数混合器、チャネル復号化器等）を有する。インタフェースモジュールにおける対応する機能ユニットは、装置制御処理器であって、通常は、それぞれの装置の主処理器により作動される。この動作は特定ハードウェア用であり、即ち、その作動は、モジュールにおいて用いられるＩＣのそれぞれの特性及び能力を認識する必要があり、それに応じてそれらの装置を作動させる。
【０００４】
米国特許第５，７３４，５８９号明細書においては、プラグインモジュールとしてＮＩＭをデザインするために提案されているセットトップボックスについて開示している。そのモジュールは、機能ユニットの“国内”機能に取って代わるＮＩＭ制御器を有する。その特許文献には、ＮＩＭへの置き換えは制御ソフトウェアに対する修正を必要とすることが記載されている。
【０００５】
例えば、アプリケーションのモジュールのデザインが、置き換え可能なＮＩＭモジュールを有するそのような装置において変更される場合、制御ソフトウェアは適合される必要がある。それ故、モジュールの変形に置き換えられる又は変更されるとき、比較的高い複雑性が存在する。それぞれの装置に対する適切な制御ソフトウェアが各々のモジュールと共に供給されなければならない。
【発明の開示】
【発明が解決しようとする課題】
【０００６】
それ故、本発明の目的は、ネットワークインタフェースモジュール及び映像受信ユニットの両方における変更の作動及び実施が特に容易である、ネットワークインタフェースモジュール、映像受信ユニット及び映像データを受信するための方法を提供することである。
【課題を解決するための手段】
【０００７】
このような目的は、請求項１に記載されているネットワークインタフェースモジュール、請求項４に記載されている装置及び請求項９に記載されている方法により達成できる。従属請求項は本発明の優位性のある実施形態に関連している。
【０００８】
本発明に従って、ＮＩＭは、モジュールマイクロプロセッサと、そのための動作プログラムを有するメモリとを有する。モジュールマイクロプロセッサはインタフェースを介してそのモジュールの外部から制御コマンドを受信する。記憶されている動作プログラムを実行している間、そのマイクロプロセッサはそれらのコマンドのインタプリタとして動作し、機能ユニットを動作させるために用いられる動作信号にそれぞれのコマンドを変換する。
【０００９】
本発明は、それ故、今日まで周知である機能ユニット（受信機能ユニット、チャネル復号化器等）の直接動作に変わる間接動作を提供するが、前記直接動作は、特定の能力及び各々のバイイに用いられる構成要素の特性についての知識を常に必要とする。それ故、（特定のデザインに依存することなく、即ち、例えば、ＩＣが特に機能ユニットを構成することに拘らず）ＮＩＭは同じ制御コマンドを用いて常にアドレス指定されることが可能である。それらの制御コマンドは、それ故、ハードウェア非依存性であることが可能である。モジュールに直接備えられるマイクロプロセッサの動作プログラムは、機能ユニットと各々の場合に必要な動作についての情報を有し、前記情報は、そのような好適なハードウェア非依存性の機能関連制御コマンドが、存在する機能ユニットの特定の種類に基づき、各々の場合に必要とされる制御信号に変換されることを可能にする。バスシステムを用いることは、モジュールマイクロプロセッサと機能ユニットとの間のモジュール内通信のために好適である。
【００１０】
本発明に従った映像受信装置は、少なくとも１つの装置制御処理器と少なくとも１つのＮＩＭとを有する。多くのＮＩＭが又、存在することが可能である。ＮＩＭはモジュール内で置き換え可能であり、例えば、プラグイン接続として接続されることが可能である。例えば、ＤＶＢ−Ｓ、ＤＶＢ−Ｔ及びＤＶＢ−Ｃ等の種々のタイプの高周波信号を受信するためのモジュールを備えることが可能である。それにも拘らず、同じタイプの多くのモジュールが又、存在することが可能である。更に、その装置は、供給されるディジタル映像データストリームを更に処理するために用いられる機能ユニットを有する。その装置は、例えば、ＰＣ  ＴＶプラグインカード又は更にそれ自体が映像データを表示するＴＶセットに出力するための信号を供給するセットトップボックスであることが可能である。
【００１１】
このタイプの構成全てを、本発明に従ったＮＩＭを用いて、非常に簡単に実現することができる。有効な制御コマンドの集合は、機能ユニットを作製するためにどのＩＣが用いられ、そしてどのタイプのモジュールが含まれるかに依存せずに、モジュールにより処理される。
【００１２】
モジュールのプラグインのために多くのスロットが備えられているとき、それらのスロットは同じ形状と同じプラグコンタクト配置を有することが好ましい。これは、機械的及び電気的に汎用のインタフェースを提供する。
【００１３】
モジュールが映像受信装置にプラグインされるとき、それ故、自動構成を実行することが可能である。映像受信装置は、例えば、種々のモジュール（例えば、ＤＶＢ−Ｓ、ＤＶＢ−Ｔ及びＤＶＢ−Ｃモジュール等の異なる媒体に対する異なるタイプのモジュール）に対して調整されることが可能である。自動構成中、モジュールが認識され、受信装置はそれに応じて構成される。
【００１４】
装置は、どのタイプのモジュールが含まれるか（例えば、ＤＶＢ−Ｓ）を認識する。これは、ＮＩＭがプラグインされるまで、装置構成が決定されないことを意味する。装置メーカのための有利点は、装置メーカが全体としての範囲に対して、僅かな異なるマザーボードを必要とすることである。制御コマンドはハードウェア非依存性であるが、例えば、動作に関する種々の送信方法の間に差異があってもよい。装置は、自動構成中にこの点で調節されることができ、それに応じて、ユーザメニューは又、調節されることができる。
【００１５】
本発明は、図面と共に示す実施形態の例に関連して更に説明するが、本発明はそれら実施形態に限定されるものではない。
【発明を実施するための最良の形態】
【００１６】
図１は、ネットワークインタフェースモジュール（ＮＩＭ）１０を機能ユニットと共に示している模式図である。ネットワークインタフェースモジュールは、アナログエレクトロニクスとディジタル要素の両方を有する電子回路である。ネットワークインタフェースモジュール１０は、通常、別体として、即ち、専用ボードに及び／又は専用ハウジング内に設けられる。当業者に周知であるモジュール１０の機能ユニットは、この目的のために特に適切であるＩＣを有する。
【００１７】
モジュール１０の機能ユニットは、チューナユニット１２と、ＩＦコンポーネント１４チャネルと、復号化器コンポーンネント１６とを有する。それらの機能ユニットは別個のアセンブリとして設計されることが可能である。しかしながら、各々の場合に、１つの構成要素、即ち、専用ＩＣを形成するために多くの種々の群における機能ユニットを有することが又、可能である。
【００１８】
受信ユニット１２（チューナ）は入力によりアナログＨＦ信号を受信する。これは、ディジタルテレビジョン又はデータ信号であって、例えば、ＤＶＢ−Ｓ、ＤＶＢ−Ｔ又はＤＶＢ−Ｃ信号を有するＨＦキャリア信号である。受信ユニット１２は集積回路として設計されることが可能である。そらは、例えば、ＴＤＡ  ６６５１等のＭＯＰＬＬ−ＩＣであることが可能である。受信ユニット１２においては、ＨＦ信号は処理され、ＩＦ信号が生成される。
【００１９】
ＩＦ信号はＩＦコンポーネント１４により処理される。ＡＦＲＩＣ、即ち、ＴＤＡ  ９８８５は、例えば、この目的のために用いられることが可能である。ＩＦ  ＩＣからの出力信号はチャネル復号化器ユニット１６に供給される。
【００２０】
チャネル復号化器１６はその信号からディジタルデータを供給する役割を果たす。ＭＰＥＧ−２トランスポートストリーム（ＴＳ）を供給するＴＤＡ  １００４６は、ここでは、例えば、ＤＶＢ−Ｔの場合に用いられることが可能である。チャネル復号化器１６により供給されるディジタル信号は出力２２により出力される。
【００２１】
機能ユニット１２、１４、１６はモジュール１０を動作させるために制御信号を必要とする。それ故、受信ユニット１２は、例えば、どのキャリア信号（即ち、周波数）が受信されるべきかに関する情報を必要とする。チャネル復号化器１６は、例えば、どのチャネルが抽出されるべきかに関する情報を必要とする。そのような制御機能は、コンポーネントのそれぞれの特定のデザインに依存する。
【００２２】
モジュール１０は、機能ユニット１２、１４、１６がモジュール内部バス２６に共に結合されているマイクロプロセッサ２４を有する。更に、例えば、ＥＥＰＲＯＭ、フラッシュメモリ又はＯＴＰ等の不揮発性メモリ２８が備えられている。特に、モジュールマイクロプロセッサ２４のために動作プログラムはメモリ２８に記憶される。モジュール１０の各々の初期化の後、動作プログラムはメモリ２８から読み出され、プロセッサ２４により実行される。プロセッサ２４は又、プログラムメモリとデータメモリとに分解される作業メモリを有する。
【００２３】
マイクロプロセッサは別個に設計されることが可能であり、それは標準的なマイクロプロセッサを用いることが可能である。マイクロプロセッサとして、Ｐｈｉｌｉｐｓ社製のＰ８７ＬＰＣ７６４を用いることが可能である。しかしながら、マイクロプロセッサ、メモリ及びチャネル復号化器を１つのＩＣに組み込むことが又、可能である。プロセッサ２４は、モジュール１０の入力／出力インタフェース３０を管理する。データはインタフェース３０によりプロセッサ２４に転送されることができる。インタフェース３０は、例えば、シリアルポート又はパラレルポートとして設計されることが可能である。それは、好適には、バスとして編成される。
【００２４】
モジュールプロセッサ２４は、インタフェース３０により制御コマンドを受信し、それらを変換するインタプリタとしてその動作プログラムにより動作する、即ち、対応する信号をバスにより機能ユニット１２、１４、１６に送信し、従って、それぞれの制御コマンドを実行する。レポートは又、機能ユニットからモジュールプロセッサ２４にバス２６により送り返される。インタプリタにより送信された制御コマンドは上位の機能関連コマンドである。それらのコマンドは、機能ユニットに変換されるべき１つ又は、通常はそれ以上のコマンドに、インタプリタのプログラムにより変換される。機能ユニットにバス２６により変換されるコマンドはハードウェアにより異なる（即ち、それぞれの特性、例えば、用いられるチューナＩＣ１２に依存する）が故に、インタフェース３０により受信されるコマンドはハードウェア依存性である。それらは、個別の機能ユニットの特徴及び能力には関係しないが、“ブラックボックス”として全体としてモジュール１０を制御する。
【００２５】
モジュール１０は、単独で又は他のモジュールと共に装置内に設けられる。図２は、モジュール１０を有する装置３４の象徴的な図を示している。
【００２６】
装置３４は、例えば、テレビジョンセットにおける表示のために映像信号を出力する、例えば、セットトップボックスであることが可能である。それは又、受信機能がコンポーネントとして集積された専用のテレビジョンセットであることが可能である。図２に象徴的に示している装置２４においては、更なるディジタル映像信号の処理（ＭＰＥＧ復号化、出力、表示等）のための機能ブロック３６がある。
【００２７】
装置３４は、中央装置制御プロセッサ３８とＨＦ入力４０とを有する。ＨＦ入力４０は、衛星アンテナ（ＤＶＢ−Ｓ）、地上波アンテナ（ＤＶＢ−Ｔ）又はケーブルテレビジョンネットワーク（ＤＶＢ−Ｃ）への接続であることが可能である。ＨＦキャリア信号は、上記のように処理される、モジュール１０に、直接、渡される。代替として、モジュール１０は又、モジュールのＨＦ入力が出力から直接アクセス可能であるように、備えられている。
【００２８】
モジュール１０は、装置３４の装置制御プロセッサ３８により制御される。装置制御プロセッサ３８は、後者のインタフェース３０においてモジュール１０に接続される。モジュール１０により出力されるディジタル映像信号力は、次いで、装置３４のユニット３６により更に処理される。
【００２９】
図３は、装置４２の第２の実施形態を示している。この装置は、同様に、ディジタル映像データの更なる処理のために、ここでは概括的な用語で示している、ユニット３６及び中央制御プロセッサ３８を有する。図２に示している実施形態と対照するに、しかしながら、２つのネットワークインタフェースモジュール１０ａ、１０ｂを備えている。それらのモジュールの各々はＨＦ入力４０ａ、４０ｂに結合されている。モジュール１０ａ、１０ｂにより出力されるディジタル映像信号はユニット３６により更に処理される。中央装置制御プロセッサ３８は、インタフェース３０ａ、３０ｂを介して２つのモジュール１０ａ、１０ｂを制御する。
【００３０】
２つのモジュール１０ａ、１０ｂは、同じタイプのＨＦキャリア信号を処理するために備えられることが可能である。実施例として、２つのモジュールは、入力４０ａ、４０ｂにおいて衛星入力信号を各々の場合に受信するＤＶＢ−Ｓモジュールであることが可能である。中央制御プロセッサ３８によるそれぞれの動作に従ってモジュール１０ａ，１０ｂにより出力されるディジタル映像信号は、例えば、映像信号の１つが表示（直接的に又は別個のテレビジョンセットにおける）のために処理される一方、他の信号が記録される（ディジタルメモリにおいて又は従来のビデオレコーダ荷置けるアナログ映像信号として）ように、例えば、更なる処理ユニット３６により処理されることが可能である。従って、
２つのＮＩＭモジュール１０ａ、１０ｂにより、既知のデュアル衛星受信器の能力を有する装置４２を構築することが可能である。
【００３１】
代替として、ＮＩＭモジュール１０ａ、１０ｂが異なるタイプのＨＦキャリア信号に対して設計されることが又、可能である。従って、例えば、モジュール１０ａは衛星受信（ＤＶＢ−Ｓ）に対して設計されることが可能である一方、モジュール１０ｂは地上波無線受信（ＤＶＢ−Ｔ）に対して設計される。装置４２は、それ故、現在処理されている映像信号がモジュール１０ａ又はモジュール１０ｂにより供給されることを選択する制御プロセッサ３８を用いて、両方のソースからの信号を処理することが可能である。
【００３２】
最終的に、装置（図示せず）は又、３つ以上のモジュールを有することが可能である。それらは全て、異なるタイプであることが可能であり、又は、同じタイプのＨＦキャリア信号に対する他の多くのモジュールを備えることが可能である。
【００３３】
ＮＩＭモジュール１０は、種々の方法でそれぞれの装置３４、４２に結合されることが可能である。プラグイン接続が好適である。そのようなプラグイン接続の実施例について、図４乃至６に示しており、それらの図における各々の場合、ＮＩＭモジュール１０がそれぞれの装置のマザーボード４４に取り付けられ、機械的に結合される。
【００３４】
図４におけるモジュール１０は、ボード４４に対して垂直であるボード４４の対応するソケットにおいて受け入れられるピンコネクタを有する。図５は、モジュール１０のピンコネクタ４６がボード４４に対して垂直であるボード４４の対応するソケット４８に受け入れられる、更なる実施形態を示している。最後に、図６は又、ボード４４に対して並行なプラグイン方向にソケット５０を受け入れるボードコネクタを有するモジュール１０を示している。
【００３５】
図４、５及び６におけるそれぞれのモジュール１０は、各々の場合に、図１に示すような要素を有するボードであり、ハウジング内に備えられている。図１に示す種々の入力及び出力２０、２２、３０並びに付加入力（例えば、電源）はそれぞれのプラグイン接点により実現される。
【００３６】
この場合、ピンの割り当てが規定され、ピンの割り当ては異なるモジュールに対して同一である。実施例として、ＤＶＢ−Ｓ入力信号はプラグイン接続のピン３に常に存在し、ＤＶＢ−Ｔ入力信号はプラグイン接続のピン５に常に存在し、そしてＤＶＢ−Ｃ入力信号はプラグイン接続のピン７に常に存在する一方、出力映像信号はプラグイン接続の同じピンにおいて常に出力される。
【００３７】
そのような共通のピン割り当てを用いて。制御コマンド（インタフェース３０）によりＮＩＭモジュール１０の制御と関連して、それぞれの装置３４、４２は、用いられるモジュール１０の専用ハードウェアについてのいずれの情報をも必要としない。純粋に機能に基づくハードウェア非依存性制御コマンドにより動作は起こる。結果として得られるディジタル映像、音声及びデータ信号は規定された接点に存在する。
【００３８】
図４乃至６に示すＮＩＭモジュールは、それらのプラグイン接触のために容易に置き換えられることができる。モジュール１０を置き換えるとき、インタフェース３０により制御プロセッサ３８とモジュールマイクロプロセッサ２４との間で多くの構成コマンドが先ず交換されることを条件とすることが可能である。自己構成中、ＮＩＭプロセッサ２４は、用いられるモジュールのタイプに関して装置制御プロセッサ３８に情報と、次のような情報、例えば、ＮＩＭプロセッサ２４のアドレス、トランスポンダ及び／又は衛星及びＤＶＢ−Ｓの場合における周波数範囲についての詳細、その周波数領域及びＤＶＢ−Ｔの場合にどのＯＦＤＭ又は８−ＶＳＢ受信のどちらかが設定されるかについての詳細、並びにＤＶＢ−Ｃの場合における符号化及び周波数範囲、についての情報とを与える。
【００３９】
他方、自動構成中、ＮＩＭは又、例えば、装置マイクロコントローラのアドレスのような情報を受信することが可能である。
【００４０】
以下、機能ユニット１２、１４、１６においてハードウェア依存性コマンドへの変換及びインタフェース３０により送信されるハードウェア非依存性コマンドのモジュールマイクロプロセッサによる変換について、図７を参照して説明する。
【００４１】
上記のように、モジュールマイクロプロセッサ２４に装置の制御マイクロプロセッサ３８から送信されるコマンドはハードウェア非依存性である。それらは、詳細に知られているＮＩＭのデザインを伴うことなく、ＮＩＭの機能に関連している。
【００４２】
制御コマンドの処理について、図７における実施例を参照して、一般的に示している。ここで、図２による装置３４の種々の構成要素の相互作用について、一方でハードウェア側から、他方でソフトウェア側（水平方向の破線上部）から示している。垂直方向の破線は、装置３４の領域（図７における左側）、装置制御プロセッサ３８とＮＩＭ１０との間の通信領域（図７における中央部）、及びＮＩＭ１０内の領域（図７における右側）を分離している。
【００４３】
コマンド“機能Ａ”は、インタフェース３０（例えば、バスの形で編成されている）により装置３４の制御プロセッサ３８からモジュール１０にどのように送信されるかについて示している。示されている実施例においては、コマンドは“ｉｎｉｔ  ＮＩＭフレーム”である。対応する符号化コマンドはモジュール１０のマイクロプロセッサ２４により認識され、前記マイクロプロセッサはインタプリタとして動作する。モジュールマイクロプロセッサ２４の動作プログラムは、受信されるコマンドがどのように実行されるかに関する情報を、例えば、ルックアップテーブルの形で、有する。即ち、上位の“機能Ａ”は部分機能“機能ａ（１）”、“機能ｂ（２）”等に変換される。それらの部分機能は、フレームａ（１）、フレームａ（２）のようなモジュール内部バスによりそれぞれの機能ユニット１２、１４、１６、１８に変換される。
【００４４】
実施例として、コマンド“Ｉｎｉｔ  ＮＩＭフレーム”はコマンドチャネル復号化器コマンド１６に送信される“Ｉｎｉｔチャネル復号化器フレーム”に及び受信機能ユニット１２に送信されるコマンド“Ｉｎｉｔチューナフレーム”に変換される。それらはＩＣ専用コマンドであり、即ち、チャネル復号化器１６は直接アドレスされる。
【００４５】
変換において必要な機能ユニットの動作を伴う各々の場合、制御コマンドについての更なる例について下に示す。
Ｓｅｔ  Ｆｒｅｑｕｅｎｃｙ：周波数範囲／ＰＬＬデータ／ＡＦＣ機能を設定する。
Ａｃｔｕａｔｉｏｎ  ｏｆ  ｃｈａｎｎｅｌ  ｄｅｃｏｄｅｒ：レジスタがこの動作モードに対して用いられ；ここで、ディジタルチャネルが存在するかどうかに関して調べ；ここで、アナログチャネルが存在するかどうかに関してチェックする。
Ａｃｔｕａｔｉｏｎ  ｏｆ  ｔｕｎｅｒ  ＩＣ（ＭＯＰＬＬ）：ＰＬＬはＩＦ  ＩＣの有効な動作をこの周波数に対して設定し；中間周波数パラメータ（標準／サウンドトラップ／等）を設定する。
Ｓｅａｒｃｈ：検索ルーチンを開始する。
Ａｃｔｕａｔｉｏｎ  ｏｆ  ｔｕｎｅｒ（ＭＯＰＬＬ）：ＰＬＬ値が連続的に増加する。
Ａｃｔｕａｔｉｏｎ  ｏｆ  ｃｈａｎｎｅｌ  ｄｅｃｏｄｅｒ：入力信号をチェックする／受信パラメータについて調べる／ＢＥＲ（ビットエラーレート）を読み込み、装置に転送する。
Ｃｏ−ｃｈａｎｎｅｌ  ｒｅｃｅｉｖｉｎｇ  ｍｏｄｅｌ：特定の受信設定を呼び出す。
Ａｃｔｕａｔｉｏｎ  ｏｆ  ｃｈａｎｎｅｌ  ｄｅｃｏｄｅｒ：種々のパラメータを変更し、最適なＢＥＲを検索し、データを装置に転送する。
【図面の簡単な説明】
【００４６】
【図１】ネットワークインタフェースモジュール（ＮＩＭ）についての模式図である。
【図２】ネットワークインタフェースモジュールを有する映像受信装置の第１実施形態についての模式図である。
【図３】２つのネットワークインタフェースモジュールを有する映像受信装置の第２実施形態について示す図である。
【図４】第１タイプのプラグイン接続を有するネットワークインタフェースモジュールの第１実施形態の斜視図である。
【図５】第２タイプのプラグイン接続を有するネットワークインタフェースモジュールの第２実施形態の斜視図である。
【図６】第３タイプのプラグイン接続を有するネットワークインタフェースモジュールの第３実施形態の斜視図である。
【図７】制御コマンドの処理についての模式図である。
【図１】
2006520153.tif 000003
【図２】
2006520153.tif 000004
【図３】
2006520153.tif 000005
【図４】
2006520153.tif 000006
【図５】
2006520153.tif 000007
【図６】
2006520153.tif 000008
【図７】
2006520153.tif 000009
【国際調査報告】
2006520153.tif 000010
2006520153.tif 000011
2006520153.tif 000012